【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
流体投与チューブを、患者の組織内に流体を皮下投与するために構成された針に連結するために構成されたハウジングと、
前記ハウジングに連結されたスプリング負荷の作動機構と、
前記作動機構に連結されたフロー停止機構と、
を備え、
前記作動機構は、前記ハウジングが前記組織および前記組織内に留置された針の近傍に実質的に設けられている状態に対応する第１姿勢と、前記ハウジングが前記組織から離れて設けられるかまたは前記針が前記組織から外れている状態に対応する第２姿勢と、を備え、
前記フロー停止機機構は、前記作動機構が前記第１姿勢にあるときに、前記流体投与チューブから前記針へのフローを許容する開状態と、前記作動機構が前記第２姿勢にあるときに、前記流体投与チューブから前記針へのフローを実質的に停止する閉状態と、を備える、流体投与のためのフローを自動停止するための装置。
【請求項２】
前記作動機構は、前記作動機構が前記第１姿勢のときに、前記患者の皮膚近傍に設けられるように構成された接触部材を備え、
前記接触部材は、前記第２姿勢へと、前記ハウジングに対して関節動作する、請求項１に記載の装置。
【請求項３】
前記フロー停止機構は、前記作動機構が前記第２姿勢にあるときに、前記流体投与チューブから前記針へのフローを実質的に停止するピンチバルブを備える、請求項２に記載の装置。
【請求項４】
前記接触部材および前記フロー停止機構は、ピンチバルブを形成するために、スプリングアームおよび圧縮レバーを備え、
前記スプリングアームは、前記第１姿勢に位置づけられたときに、前記ハウジング近傍に設けられ、
前記スプリングアームは、前記第２姿勢で前記ハウジングから遠ざかる関節動作を行い、
前記圧縮レバーは、前記作動機構が前記第２姿勢のときに、前記流体投与チューブから前記針へのフローをつまみ留めるように、前記第２姿勢において前記スイングアームの関節動作に応じて関節動作を行う、請求項２に記載の装置。
【請求項５】
前記ハウジングは、前記流体投与チューブを前記針に連結する柔軟なチューブを備え、
前記圧縮レバーは、前記流体投与チューブから前記針へのフローを停止するために、前記第２姿勢で前記柔軟なチューブに対して関節動作する、請求項４に記載の装置。
【請求項６】
前記接触部材は、前記第２姿勢に対応する膨張形状に偏重したドーム型のボタンを備え、
前記ボタンは、前記第１姿勢において、前記患者の皮膚近傍に圧縮状態で設けられる、請求項２に記載の装置。
【請求項７】
前記フロー停止機構は、前記接触部材に連結されたシャトルバルブを備え、
前記接触部材は、前記第１姿勢から前記第２姿勢に向けて、前記ハウジング内から前記シャトルバルブの遷移に影響を及ぼす、請求項２に記載の装置。
【請求項８】
前記接触部材は、前記第２姿勢に対応する膨張形状に偏重したドーム型ボタンを備え、
前記ボタンは、前記第１姿勢で前記患者の皮膚近傍に圧縮状態で設けられる、請求項７に記載の装置。
【請求項９】
前記フロー停止機構は、前記接触部材に連結された回転式バルブを備え、
前記接触部材は、前記第１姿勢から前記第２姿勢に向けて、前記ハウジング内から前記回転式バルブの回転に影響を与える、請求項２に記載の装置。
【請求項１０】
前記接触部材および前記回転式バルブは、レバーおよびロッドを備え、
前記ロッドは、前記ハウジング内の開口に備えられ、
前記ハウジングは、前記流体投与チューブから前記針への流体フローを許容する中央チャンネルを備え、
前記ロッドは、前記第１姿勢のときに、前記中央チャンネルと合わさる貫通孔を備え、
前記スプリングアームは、前記第１姿勢に位置づけられたときに前記ハウジング近傍に設けられ、前記第２姿勢において前記ハウジングから遠ざかる関節動作を行い、
前記ロッドは、前記中央チャンネルと合わさらないように貫通孔を回転するために、前記第２姿勢において前記スイングアームの関節動作に応じて回転し、前記作動機構が前記第２姿勢のときに前記流体投与チューブから前記針への流体フローを制限する、請求項９に記載の装置。
【請求項１１】
前記接触部材および前記回転式バルブは、ボタンおよびロッドを備え、
前記ロッドは、前記ハウジング内の開口に設けられ、
前記ハウジングは、前記流体投与チューブから前記針への流体フローを許容する中央チャンネルを備え、
前記ロッドは、前記第１姿勢のときに、前記中央チャンネルと合わさる貫通孔を備え、
前記ボタンは、前記第１姿勢に位置づけられたとき、前記ハウジング近傍にあり、前記第２姿勢で前記ハウジングから後退して遠ざかり、
前記ロッドは、前記中央チャンネルと合わさらないように前記貫通孔を回転させるために、第２姿勢において前記ボタンの後退に応じて回転し、前記作動機構が前記第２姿勢のときに前記流体投与チューブから前記針への流体フローを制限する、請求項９に記載の装置。
【請求項１２】
流体投与チューブと、患者の組織内に流体を皮下投与するために構成された針と、
前記流体投与チューブを前記針に連結するために構成されたハウジングと、
前記ハウジングに連結されたスプリング負荷の作動機構と、
前記作動機構に連結されたフロー停止機構と、を備え、
前記作動機構は、前記ハウジングが前記組織及び前記組織内に留置された針の近傍に実質的に設けられている状態に対応する第１姿勢と、前記ハウジングが前記組織から離れて設けられるかまたは前記針が前記組織から外れている状態に対応する第２姿勢と、を備え、
前記フロー停止機構は、前記作動機構が前記第１姿勢にあるときに、前記流体投与チューブから前記針への流れを許容する開状態と、前記作動機構が前記第２姿勢にあるときに前記流体投与チューブから前記針へのフローを実質的に停止する閉状態と、を備える、流体投与のためのフローを自動停止するためのシステム。
【請求項１３】
前記作動機構は、前記作動機構が前記第１姿勢のときに、前記患者の皮膚近傍に設けられるように構成された接触部材を備え、
前記接触部材は、前記第２姿勢へと、前記ハウジングに対して関節動作する、請求項１２に記載のシステム。
【請求項１４】
前記フロー停止機構は、前記作動機構が前記第２姿勢にあるときに、前記流体投与チューブから前記針へのフローを実質的に停止するピンチバルブを備える、請求項１３に記載のシステム。
【請求項１５】
前記接触部材および前記フロー停止機構は、ピンチバルブを形成するために、スプリングアームおよび圧縮レバーを備え、
前記スプリングアームは、前記第１姿勢に位置づけられたときに、前記ハウジング近傍に設けられ、
前記スプリングアームは、前記第２姿勢で前記ハウジングから遠ざかる関節動作を行い、
前記圧縮レバーは、前記作動機構が前記第２姿勢のときに、前記流体投与チューブから前記針へのフローをつまみ留めるように、前記第２姿勢で前記スイングアームの関節動作に応じて関節動作を行う、請求項１３に記載のシステム。
【請求項１６】
前記ハウジングは、前記流体投与チューブを前記針に連結する柔軟なチューブを備え、
前記圧縮レバーは、前記流体投与チューブから前記針へのフローを停止するために、前記第２姿勢で前記柔軟なチューブに対して関節動作する、請求項１５に記載のシステム。
【請求項１７】
前記接触部材は、前記第２姿勢に対応する膨張形状に偏重したドーム型のボタンを備え、
前記ボタンは前記第１姿勢において、前記患者の皮膚近傍に圧縮状態で設けられる、請求項１３に記載のシステム。
【請求項１８】
流体投与チューブを患者の組織内への流体投与用の針に連結するために構成されたハウジングであって、前記ハウジングを前記患者の組織表面に連結し、
前記ハウジングが前記組織および前記組織内に留置された針の近傍に設けられている状態に対応する第１姿勢においてスプリング負荷による作動機構をプレロードし、
前記作動機構に連結されたフロー停止機構は、前記作動機構が前記第１姿勢にあるときに、前記流体投与チューブから前記針へのフローを許容する開状態で設けられており、
前記組織から遠ざかるようにハウジングが開放するかまたは前記針が前記組織から外れると、前記作動機構を第２姿勢へと進め、
前記流体投与チューブから前記針へのフローを実質的に停止するために、前記フロー停止機構を閉状態に切り替える、
患者への流体投与のためのフローを自動停止させるための方法。
【請求項１９】
前記フロー停止機構は、ピンチバルブを備え、
前記フロー停止機構を閉状態に切り替えることは、前記流体投与チューブと前記針との間のフローをつまみ留めることを含む、請求項１８に記載の方法。
【請求項２０】
前記作動機構は、前記第１姿勢に位置づけられたときに前記ハウジング近傍に設けられる接触部材を備え、
前記接触部材は、前記第２姿勢で前記ハウジングから遠ざかる関節動作を行い、
前記ハウジングは、前記流体投与チューブを前記針に連結する柔軟なチューブを備え、
前記フロー停止機構は、前記流体投与チューブから前記針へのフローを停止するために、前記第２姿勢で前記柔軟なチューブに対して関節動作する圧縮レバーを備える、請求項１９に記載の方法。
【手続補正２】
【補正対象書類名】明細書
【補正対象項目名】００１０
【補正方法】変更
【補正の内容】
【００１０】
ここに記載した技術は、説明を目的としただけである次の図面を参照して完全に理解されるべきである。
【図１Ａ】図１Ａは、本開示における、スプリングアームとピンチング機構を備える検知機構の斜視図である。
【図１Ｂ】図１Ｂは、開放姿勢における図１Ａの検知機構の斜視図である。
【図１ＡＡ】図１ＡＡは本開示における、スプリングアームとピンチング機構を備える検知機構の斜視図である。
【図１ＢＢ】図１ＢＢは、開放姿勢における図１ＡＡの検知機構の斜視図である。
【図２Ａ】図２Ａは、図１Ａの検知機構の断面図である。
【図２Ｂ】図２Ｂは、開放姿勢における図１Ａの検知機構の断面図である。
【図３Ａ】図３Ａは、図１Ａの検知機構において上面カバーを取り外した際の斜視図である。
【図３Ｂ】図３Ｂは、組み込まれたチューブやハウジングを含む図１Ａの検知機構の代替物の斜視図である。
【図４】図４は、図１Ａの検知機構の分解斜視図である。
【図５Ａ】図５Ａは、本開示における、回転式バルブ検知機構の斜視図を示す。
【図５Ｂ】図５Ｂは、図５Ａの回転式バルブ検知装置が開状態のときの切り抜き側面図を示す。
【図５Ｃ】図５Ｃは、図５Ａの回転式バルブ検知装置が閉状態のときの切り抜き側面図を示す。
【図６Ａ】図６Ａは、本開示における、スライドバルブ式の検知システムの部分側面図を示す。
【図６Ｂ】図６Ｂは、本開示における、スライドバルブ式の検知システムの部分側面図を示す。
【図６Ｃ】図６Ｃは、本開示における、スライドバルブ式の検知システムの部分側面図を示す。
【図７Ａ】図７Ａは本開示における、回転式バルブ機構を内蔵する好適な実施例の分解斜視図を示す。
【図７Ｂ】図７Ｂは、図７Ａの回転式バルブ機構が閉状態のときの側面図である。
【図７Ｃ】図７Ｃは図７Ａの密封機構の側面図である。
【手続補正３】
【補正対象書類名】明細書
【補正対象項目名】００１７
【補正方法】変更
【補正の内容】
【００１７】
図１Ｂに示される抜け／開放姿勢を参照すると、ほとんど針が抜けた間に起こることとして、針２０が人体５０から持ち上がると、スプリングアーム１８が開放するように揺動する。
テープ５２は、皮膚５０および／またはスプリングアーム１８にハウジング１２およびフラップ１４をとめて、ハウジングおよびフラップ１４を固定することができる（図１ＡＡ参照）。
図１ＡＡおよび図２Ａの留置構成において、テープ５２はハウジング１２を下方にとどめると、スプリングアーム１８はハウジング１２に対して閉じるように押し込められるため、チューブ４０の圧縮レバー２４はオフ状態である。明確にすることを目的として、テープ５２は図１ＡＡではハウジング１２上に設けられるように示される。
テープ５２がハウジング１２およびタブ１４（または、図１Ａおよび図１Ｂに示すとおり針先端２２）からはがれるまたはとれると、針先端２２は外れ（図１ＢＢおよび図２Ｂの構成）、ハウジング１２が持ち上がり、スイングアーム１８がねじりばね２８の圧を受けて開き、圧縮レバー２４を下方に下げてチューブ４０をはさみ留め、針２０へのフローを停止する。
【手続補正４】
【補正対象書類名】図面
【補正対象項目名】全図
【補正方法】変更
【補正の内容】
【図１Ａ】
2017510426.tif 000001
【図１Ｂ】
2017510426.tif 000002
【図１ＡＡ】
2017510426.tif 000003
【図１ＢＢ】
2017510426.tif 000004
【図２Ａ】
2017510426.tif 000005
【図２Ｂ】
2017510426.tif 000006
【図３Ａ】
2017510426.tif 000007
【図３Ｂ】
2017510426.tif 000008
【図４】
2017510426.tif 000009
【図５Ａ】
2017510426.tif 000010
【図５Ｂ】
2017510426.tif 000011
【図５Ｃ】
2017510426.tif 000012
【図６Ａ】
2017510426.tif 000013
【図６Ｂ】
2017510426.tif 000014
【図６Ｃ】
2017510426.tif 000015
【図７Ａ】
2017510426.tif 000016
【図７Ｂ】
2017510426.tif 000017
【図７Ｃ】
2017510426.tif 000018